(57)【要約】【課題】  外周面に立体感を持たせることで装飾性を高めることができるシート付食品容器のインモールド成形方法、及びそのシート付食品容器を提供する。【解決手段】  キャビティ型３１のテーパ内面３３ａに、フィルムシート１０に立体的な表示部又は意匠部を形成するための凹部３３ｂを形成するとともに、その凹部３３ｂにフィルムシート１０とともに樹脂を充填することで、フィルムシート１０の内面とコア型３２との隙間に入り込んだ樹脂にフィルムシート１０内面全体を一体的に密着させて凹部３３ｂに入り込んでいるシート部分と樹脂部分とを一体化して膨出部６を形成し、その膨出部６を凹部３３ｂの開口縁部３３ｃを乗り越えさせて凹部３３ｂから離脱させる。これにより、外周面に立体感を持たせて装飾性を高めたシート付食品容器をインモールド成形にて製造することができる。【選択図】    図５
2014104661.tif 000002
【特許請求の範囲】
【請求項１】
上端開口部、上端開口部から下向きに外径が漸減するテーパ状の周壁部、及び周壁部の下端を閉塞する底部を備える樹脂製の容器本体の周壁部外面に容器外周面を形成する樹脂製のシートが一体的に巻き付けられた、飲料その他の食品を収容するシート付食品容器の製造方法であって、
容器本体の外部形状を形成するテーパ状のキャビティを有する型本体と、容器本体の内部形状を形成するために型本体のキャビティ内に挿入されてキャビティとの隙間が容器本体の肉厚となるテーパ状のコアとを用い、
キャビティ内面には、前記シートに立体的な表示部又は意匠部を形成するための凹部が形成され、コア外周面とキャビティ内面との隙間は前記凹部において他より部分的に大きくされ、
そのコアをキャビティに挿入する前に、キャビティのテーパ状の内周面に沿うように帯状のシートを湾曲させた状態で負圧により保持し、その後、コアをキャビティ内面に沿うように保持されたシートの内側へ挿入し、かつ型閉じした状態でシートとコアの隙間、及びキャビティ底面とコア底面との隙間がそれぞれ樹脂で充填されるように樹脂を射出し、
そのシートとコア外周面との間に入り込んだ樹脂の圧力により、シート外面がキャビティ内面の前記凹部の底面に密着するようにシートを膨出させて、その凹部にシートとともに樹脂を充填するとともに、シート内面と前記コアとの隙間に入り込んだ樹脂にシート内面全体を一体的に密着させることにより、前記凹部において部分的に周壁部の肉厚を大きくする一方、周壁部の内周面は一様なテーパ内周面とし、
射出された樹脂が固化した後の型開きにおいて、コアを抜いた後、又はコアを抜くのと同時に、キャビティに付着している食品容器又はその中間品を、前記テーパ状のキャビティの拡径側へ排出する際、前記キャビティ内面の前記凹部に入り込んでいるシート部分と樹脂部分が一体化した膨出部を、前記凹部の開口縁部を乗り越えさせてその凹部から離脱させることを特徴とするシート付食品容器のインモールド成形方法。
【請求項２】
前記キャビティ内面に形成される凹部の、前記排出時に少なくとも前記膨出部が乗り越えるべき前記開口縁部の側が、その乗越えを許容する逃げ面として形成され、その凹部の逃げ面により、前記膨出部の少なくとも前記食品容器又はその中間品の上端開口部に近い側に、その逃げ面が転写された斜面状又は曲面状の傾斜部が残存する請求項１に記載のシート付食品容器のインモールド成形方法。
【請求項３】
前記容器本体は、円形状断面のテーパ筒状をなすとともに、上端開口部に円環状かつ外向きに突出するフランジを有するもので、
前記シートは、前記周壁部の全体を被うように、その周壁部において前記底部側の端縁部から前記フランジの基端部まで至る高さと、前記円形状断面のテーパ筒状の周壁部の外周面に沿うように、展開状態で前記フランジの基端部の円周に沿う大径側の円弧部と、前記底部側の端縁部の円周に沿う小径側の円弧部と、これら大径側及び小径側の円弧部の両端同士を結ぶ両側縁部とを備えた円弧帯状をなし、そのシートが円形状断面のテーパ筒状をなす前記キャビティの内面に沿うように負圧で保持される請求項１又は２に記載のシート付食品容器のインモールド成形方法。
【請求項４】
上端開口部、上端開口部から下向きに外径が漸減するテーパ状の周壁部、及び周壁部の下端を閉塞する底部を備える樹脂製の容器本体の周壁部外面に容器外周面を形成する樹脂製のシートが一体的に巻き付けられた、飲料その他の食品を収容するシート付食品容器であって、
前記周壁部の内周面が一様なテーパ内周面とされる一方、その周壁部の外周面の一部が外側へ膨出して立体的な表示部又は意匠部を構成する膨出部とされ、その膨出部は外側に膨出するシート部分とそのシート部分に一体的に密着した樹脂部分を有してその膨出部において前記周壁部の肉厚が他の周壁部に比べて大きくされ、
その膨出部の少なくとも前記上端開口部に近い側の上側部が、上に向かうほど前記周壁部の中心側へ接近しつつ前記周壁部の外周面に連なる斜面状又は曲面状の傾斜部とされ、その傾斜部と前記膨出部が形成されていない前記周壁部の外周面とが１１０〜１７０°のなす角で連続することを特徴とするシート付食品容器。
【請求項５】
前記容器本体は、円形状断面のテーパ筒状をなすとともに、上端開口部に円環状かつ外向きに突出するフランジを有するもので、
前記シートは、前記周壁部の全体を被うように、その周壁部において前記底部側の端縁部から前記フランジの基端部まで至る高さと、前記円形状断面のテーパ筒状の周壁部の外周面に沿うように、展開状態で前記フランジの基端部の円周に沿う大径側の円弧部と、前記底部側の端縁部の円周に沿う小径側の円弧部と、これら大径側及び小径側の円弧部の両端同士を結ぶ両側縁部とを備えた円弧帯状をなし、そのシートが前記周壁部の外周面に１周未満の長さで巻かれて一体化されている請求項４に記載のシート付食品容器。
【請求項６】
前記シートは、外面側に印刷シート層、内面側に金属その他の酸素透過に対する抵抗物質が蒸着その他の付与方法により具備された酸素バリアシート層を配した、少なくとも２層が積層された複層シートである請求項４又は５に記載のシート付食品容器。
【発明の詳細な説明】
【技術分野】
【０００１】
本発明は、シートを外周面に貼付する樹脂製のシート付食品容器のインモールド成形方法、及びそのシート付食品容器に関する。
【背景技術】
【０００２】
従来より、合成樹脂によって成形される食品容器では、特許文献１に示すように、その外周面加飾技術の一つとして、商品名等の文字や図柄等の情報が印刷されたフィルムシートを予め金型内に設置し、成形と同時に容器外周面にフィルムシートの固着を行うインモールド成形方法が知られている。しかしながら、このインモールド成形方法によって成形された容器は、外周面に固着されたフィルムシートによって単に平面的な装飾が加えられるだけである。
【先行技術文献】
【特許文献】
【０００３】
【特許文献１】特開２００８−１３７６６３号公報
【発明の概要】
【発明が解決しようとする課題】
【０００４】
本発明の課題は、外周面に立体感を持たせることで装飾性を高めることができるシート付食品容器のインモールド成形方法、及びそのシート付食品容器を提供することにある。
【課題を解決するための手段及び発明の効果】
【０００５】
上記課題を解決するために、本発明は、
上端開口部、上端開口部から下向きに外径が漸減するテーパ状の周壁部、及び周壁部の下端を閉塞する底部を備える樹脂製の容器本体の周壁部外面に容器外周面を形成する樹脂製のシートが一体的に巻き付けられた、飲料その他の食品を収容するシート付食品容器の製造方法であって、
容器本体の外部形状を形成するテーパ状のキャビティを有する型本体と、容器本体の内部形状を形成するために型本体のキャビティ内に挿入されてキャビティとの隙間が容器本体の肉厚となるテーパ状のコアとを用い、
キャビティ内面には、前記シートに立体的な表示部又は意匠部を形成するための凹部が形成され、コア外周面とキャビティ内面との隙間は前記凹部において他より部分的に大きくされ、
そのコアをキャビティに挿入する前に、キャビティのテーパ状の内周面に沿うように帯状のシートを湾曲させた状態で負圧により保持し、その後、コアをキャビティ内面に沿うように保持されたシートの内側へ挿入し、かつ型閉じした状態でシートとコアの隙間、及びキャビティ底面とコア底面との隙間がそれぞれ樹脂で充填されるように樹脂を射出し、
そのシートとコア外周面との間に入り込んだ樹脂の圧力により、シート外面がキャビティ内面の前記凹部の底面に密着するようにシートを膨出させて、その凹部にシートとともに樹脂を充填するとともに、シート内面と前記コアとの隙間に入り込んだ樹脂にシート内面全体を一体的に密着させることにより、前記凹部において部分的に周壁部の肉厚を大きくする一方、周壁部の内周面は一様なテーパ内周面とし、
射出された樹脂が固化した後の型開きにおいて、コアを抜いた後、又はコアを抜くのと同時に、キャビティに付着している食品容器又はその中間品を、前記テーパ状のキャビティの拡径側へ排出する際、前記キャビティ内面の前記凹部に入り込んでいるシート部分と樹脂部分が一体化した膨出部を、前記凹部の開口縁部を乗り越えさせてその凹部から離脱させることを特徴とする。
【０００６】
このように、型本体のキャビティ内面に、シートに立体的な表示部又は意匠部を形成するための凹部を形成するとともに、その凹部にシートとともに樹脂を充填することで、シート内面とコアとの隙間に入り込んだ樹脂にシート内面全体を密着させて、凹部に入り込んでいるシート部分と樹脂部分とが一体化した膨出部を形成し、その膨出部を凹部の開口縁部を乗り越えさせて凹部から離脱させる。これにより、シート付食品容器の外周面を部分的に盛り上げることで、外周面に立体感を持たせて装飾性を高めたシート付食品容器をインモールド成形により製造することができる。
【０００７】
また、本発明のシート付食品容器は、
上端開口部、上端開口部から下向きに外径が漸減するテーパ状の周壁部、及び周壁部の下端を閉塞する底部を備える樹脂製の容器本体の周壁部外面に容器外周面を形成する樹脂製のシートが一体的に巻き付けられた、飲料その他の食品を収容するシート付食品容器であって、
前記周壁部の内周面が一様なテーパ内周面とされる一方、その周壁部の外周面の一部が外側へ膨出して立体的な表示部又は意匠部を構成する膨出部とされ、その膨出部は外側に膨出するシート部分とそのシート部分に一体的に密着した樹脂部分を有してその膨出部において前記周壁部の肉厚が他の周壁部に比べて大きくされ、
その膨出部の少なくとも前記上端開口部に近い側の上側部が、上に向かうほど前記周壁部の中心側へ接近しつつ前記周壁部の外周面に連なる斜面状又は曲面状の傾斜部とされ、その傾斜部と前記膨出部が形成されていない前記周壁部の外周面とが１１０〜１７０°のなす角で連続することを特徴とする。
【０００８】
このように、外側に膨出するシート部分とそのシート部分に一体的に密着した樹脂部分を有し、容器本体の周壁部の外周面の一部が外側へ膨出して立体的な表示部又は意匠部を構成する膨出部を備えることで、外周面に立体感を持たせて装飾性を高めたシート付食品容器を提供することができる。
【図面の簡単な説明】
【０００９】
【図１】本発明の一実施例であるシート付食品容器を示す斜視図。
【図２】そのシート付食品容器を示す縦断面図。
【図３Ａ】図１のシート付食品容器を構成するフィルムシートの正面図。
【図３Ｂ】図３ＡのＡ−Ａ断面図。
【図４Ａ】図１のシート付食品容器のインモ−ルド成形工程の一例を示す工程図。
【図４Ｂ】図４Ａに続く工程図。
【図４Ｃ】図４Ｂに続く工程図。
【図４Ｄ】図４Ｃに続く工程図。
【図４Ｅ】図４Ｄに続く工程図。
【図４Ｆ】図４Ｅに続く工程図。
【図４Ｇ】図４Ｆに続く工程図。
【図４Ｈ】図４Ｇに続く工程図。
【図５】図１のシート付食品容器のインモ−ルド成形に用いられるキャビティ型に形成された凹部、及びその凹部により形成された膨出部を示す部分拡大断面図。
【図６】フィルムシートの変形例を示す縦断面図。
【発明を実施するための形態】
【００１０】
以下、本発明の実施形態について図面を参照して説明する。まず、本発明のシート付食品容器のインモールド成形方法（成形工程）の説明に先立って、そのインモールド成形工程で成形されたシート付食品容器について説明する。図１及び図２に示すように、シート付食品容器１（以下、単に容器１ともいう）は、ポリプロピレンによって成形された容器本体２と、容器本体２にインモールド成形により固着されたシートとしてのフィルムシート１０とを備えている。
【００１１】
容器本体２は、上端開口部３、上端開口部３から下向きに外径が漸減するテーパ状の周壁部４、及び周壁部４の下端を閉塞する底部５を備えた円形状断面のテーパ筒状をなし、上端開口部３には、円環状かつ外向きに突出するフランジ３ａが形成されている。
【００１２】
フィルムシート１０は、図３Ａに示すように、円形状断面のテーパ筒状の周壁部４の外周面に沿うように、展開状態でフランジ３ａの基端部の円周に沿う大径側の円弧部１０ａと、底部５側の端縁部の円周に沿う小径側の円弧部１０ｂと、これら大径側及び小径側の円弧部１０ａ，１０ｂの両端同士を結ぶ両側縁部１０ｃ，１０ｃとを備えた円弧帯状をなし、その高さ寸法（図３Ａに示す側縁部１０ｃの長さ寸法Ｈと同一）は、容器本体２の周壁部４の全体を被うように、周壁部４において底部５側の端縁部からフランジ３ａの基端部まで至る高さ寸法に設定されている。そして、フィルムシート１０は、容器本体２の周壁部４の外面に１周未満（この実施形態では略全周）の長さで一体的に巻き付けられて容器１の外周面を形成する。
【００１３】
また、フィルムシート１０は、図３Ｂに示すように、その外面側から内面側に向けて順に、例えばポリプロピレンからなる印刷シート層１１と、酸素バリア性を有する酸素バリアシート層１２と、粘着性を有する粘着層１３とが順次積層されて構成されている。印刷シート層１１の外面側（酸素バリアシート層１２とは反対側）には、表示や意匠の印刷が施されて容器１の外周面（周壁部４）を構成する印刷面１４が形成されている。この実施形態では、シート付食品容器１の外周面に沿って施された一本のデザイン線１４ａと、商品管理用のバーコード１４ｂとが印刷面１４に印刷されている場合を例示する（図３Ａ参照）。
【００１４】
酸素バリアシート層１２は、印刷シート層１１の片面にアルミニウムを真空蒸着法等の手法で蒸着することにより形成され、アルミニウムの特性である外気中の酸素を通さない機能すなわち酸素バリア性を有している。なお、酸素バリアシート層の材質及び形成方法は、アルミニウムの蒸着に限定するものではなく、金属（アルミニウム、銅、クロム、銀、銅等）その他の酸素透過に対する抵抗物質が蒸着その他の付与方法により形成されるものであればよい。
【００１５】
粘着層１３は、室温で粘着性を発揮することなく加熱によって粘着力を生じる感熱性粘着剤を酸素バリアシート層１２に塗工することで形成され、インモールド成形時に粘着性を発揮してフィルムシート１０を容器本体２の周壁部４に粘着する。ただし、粘着層１３を形成する粘着剤は特に感熱性粘着剤に限定するものではなく、また場合によっては粘着層１３がなく、容器本体２を構成する樹脂の射出時にそれと一体接着されるフィルムシート１０であってもよい。
【００１６】
また、容器１の外周面には、図１に示すように「ＡＢＣＤ」の文字情報からなる膨出部６がインモールド成形により突出形成されている。この実施形態では、立体的な表示部又は意匠部を構成する膨出部６として「ＡＢＣＤ」の文字情報を例示するが、これに限定するものではない。例えば、容器１に収容される飲料その他の食品の商品名やその商品の販売会社名等の文字あるいは図柄等の情報を膨出部６として容器１の外周面に突出形成してもよいし、さらには容器１に収容される飲料その他の食品に関わらないものを意匠的に形成してもよい。なお、膨出部６の構成については、以下に示すインモールド成形工程の説明中に詳細に説明する。
【００１７】
次に、本発明のシート付食品容器のインモールド成形工程について、図４Ａないし図４Ｈを参照して説明する。まず、インモールド成形工程で用いられる射出成形金型及びシート装着治具について説明し、続いて、インモールド成形工程について説明する。図４Ｄ，４Ｅ等に示すように、容器１をインモ−ルド成形する際に用いられる射出成形金型３０は、固定側の金型となる型本体としてのキャビティ型３１と、可動側の金型となるコア型３２とを備えている。キャビティ型３１には、容器１の周壁部４の外周面を形成するキャビティ内面としてのテーパ内面３３ａと、容器１の底部を形成するキャビティ底面３３ｅとを含む、容器本体２の外部形状と対応するキャビティ３３が形成されている。キャビティ底面３３ｅには、キャビティ３３内に樹脂（例えばポリプロピレン等）を射出するゲート３４が設けられ、拡径側となるテーパ内面３３ａの部分には、キャビティ３３内に湾曲した状態で配置されたフィルムシート１０を負圧により吸引して保持する負圧吸引部３５が形成されている。負圧吸引部３５を形成するキャビティ型３１の上側部分は、上下方向に進退移動可能に設けられた可動部３５ａとして構成され、可動部３５ａとキャビティ型３１の本体（下側部分）との隙間が負圧吸引部３５とされ、可動部３５ａの下方への移動にともなってその隙間である負圧吸引部３５が閉塞される。
【００１８】
また、負圧吸引部３５よりも若干縮径側となるテーパ内面３３ａの部分には、容器本体２の周壁部４（シート付食品容器１の外周面）に膨出部６を突出形成するための凹部３３ｂが形成されている。凹部３３ｂは、図５に示すように、容器１の排出時に膨出部６が乗り越えるべき開口縁部３３ｃの側が、その乗越えを許容するとともに上に凸となるやや湾曲した逃げ面３３ｄとして形成されている。
【００１９】
一方、コア型３２は、キャビティ型３１内への挿入及びキャビティ型３１からの抜き出しを可能とする上下方向に進退移動可能に設けられ、キャビティ型３１のキャビティ３３と対応する部分には、キャビティ型３１内に挿入されるコア３６が形成され、コア３６は、キャビティ３３との隙間が容器本体２の肉厚となって容器本体２の周壁部４の内周面を形成するテーパ外周面３６ａ（コア外周面）を備え、容器本体２の内部形状に対応する形状を有する。
【００２０】
また、本実施形態に係るインモ−ルド成形工程では、図４Ａに示すように、キャビティ型３１のテーパ内面３３ａに沿ってフィルムシート１０を装着するためのシート装着治具４０が用いられる。シート装着治具４０は、フィルムシート１０を巻き付けるテーパ外周面４１を備え、このテーパ外周面４１がキャビティ型３１内に挿入されてキャビティ３３との間にフィルムシート１０を挿入する隙間が確保される。テーパ外周面４１の一部には、キャビティ型３１のテーパ内面３３ａに沿うように帯状のフィルムシート１０を湾曲させた状態で負圧により吸着してシート装着治具４０にセットする負圧吸引孔４２が設けられている。
【００２１】
次に、以上説明した射出成形金型３０及びシート装着治具４０を用いた容器１のインモ−ルド成形工程について説明する。まず、図４Ａに示すように、キャビティ型３１の型開き状態で、キャビティ３３と対向する位置にシート装着治具４０を配置するとともに、負圧吸引孔４２の吸着によりフィルムシート１０をシート装着治具４０のテーパ外周面４１に巻回してセットする。その後、フィルムシート１０がセットされたシート装着治具４０を下方向に移動させて、図４Ｂに示すように、シート装着治具４０をキャビティ型３１内に挿入する。そして、この状態から負圧吸引孔４２の吸着を停止する一方、キャビティ３３側の負圧吸引部３５の吸引を開始する。これにより、フィルムシート１０は、キャビティ３３内に配置され、かつ円形状断面のテーパ筒状をなすキャビティ３３のテーパ内面３３ａに沿うように負圧で保持される。
【００２２】
次いで、図４Ｃに示すように、シート装着治具４０を上方向に移動させてキャビティ型３１を開放した後、図４Ｄに示すように、キャビティ型３１の型開き状態で、シート装着治具４０に換えてコア型３２をキャビティ３３と対向する位置に配置する。その後、コア型３２を下方向に移動させることでコア型３２をキャビティ型３１内に挿入して、図４Ｅに示すように、キャビティ型３１を型閉じする。また、このとき、コア型３２の下方向への移動にともなってキャビティ型３１の可動部３５ａが下方向に押し込まれ、可動部３５ａとキャビティ型３１の本体（下側部分）との隙間からなる負圧吸引部３５が閉じられる。これにより、フィルムシート１０を吸引する負圧吸引部３５の負圧は遮断されるが、フィルムシート１０は、残留負圧でキャビティ型３１のテーパ内面３３ａに貼り付いた状態に保持される。
【００２３】
そして、図４Ｆに示すように、フィルムシート１０とコア３６との隙間、及びキャビティ底面３３ｅとコア３６の底面との隙間がそれぞれ樹脂で充填されるように溶融した樹脂をゲート３４から射出する。これにより、フィルムシート１０は、成形品である容器本体２を形成する高温の溶融樹脂に押圧状に接触して粘着層１３の粘着力が生じることで成形品と一体化する。また、このとき、フィルムシート１０とコア３６のテーパ外周面３６ａとの間に入り込んだ樹脂の圧力により、フィルムシート１０の外面がキャビティ３３のテーパ内面３３ａの凹部３３ｂの底面に密着するようにフィルムシート１０を膨出させて、その凹部３３ｂにフィルムシート１０とともに樹脂を充填するとともに、フィルムシート１０の内面とコア３６との隙間に入り込んだ樹脂にフィルムシート１０の内面全体を一体的に密着させる。これにより、凹部３３ｂにおいて部分的に周壁部４の肉厚が大きくなる一方、周壁部４の内周面は一様なテーパ内周面となる。その後、フィルムシート１０は、冷却工程で成形品とともに冷却固化され、また成形品の成形収縮にともなって収縮する。
【００２４】
その後、図４Ｇに示すように、コア型３２を上方向に移動させてキャビティ型３１を開放し、図４Ｈに示すように、開放したキャビティ型３１のキャビティ３３に付着しているシート付食品容器１（周壁部４にフィルムシート１０が貼付された容器本体２）をテーパ状のキャビティ３３の拡径側へ排出することで、膨出部６を外周面に備えたシート付食品容器１が完成する。このとき、キャビティ３３のテーパ内面３３ａの凹部３３ｂに入り込んでいるフィルムシート１０の部分と樹脂部分とが一体化した膨出部６を、凹部３３ｂの開口縁部３３ｃを乗り越えさせてその凹部３３ｂから離脱させる。
【００２５】
ところで、上記したシート付食品容器１の外周面に突出形成される膨出部６は、図５に示すように、容器本体２の周壁部４の肉厚が他の周壁部４に比べて大きくされるとともに、容器本体２の上端開口部３に近い側の上側部が、キャビティ型３１の凹部３３ｂの逃げ面３３ｄが転写されることにより、上に向かうほど周壁部４の中心側へ接近しつつ周壁部４の外周面に連なる斜面状又は曲面状の傾斜部６ａとされる。また、傾斜部６ａと膨出部６が形成されていない周壁部４の外周面とは、α＝１１０〜１７０°の範囲をなす角度αをもって連続して形成される（補角となる角度βでみると１０〜７０°の範囲である）。なお、上側の傾斜部６ａに対し、下側の傾斜部６ｂは、下に向かうほど周壁部４の中心側に接近する傾斜状又は曲面状の傾斜部６ｂとされ、上側の傾斜部６ａとは対称的な形態をなしている。
【００２６】
そして、膨出部６は、容器１をキャビティ型３１から型抜きする際、上側の傾斜部６ａが凹部３３ｂの開口縁部３３ｃを乗り越えること、言い換えれば膨出部６が形成された周壁部４の一部が内側にたわむことで凹部３３ｂから離脱する。これにより、膨出部６の上端部分（上側の傾斜部６ａ）においても、その上端部分以外の部分と同様に、容器１の外周面からの突出傾斜角度（図５の角度βに相当する角度）をある程度大きくとることができる。このため、容器１の外周面に対して膨出部６の外周形状を明確に際立たせることができ、膨出部６によって形成される情報（例えば「ＡＢＣＤ」の文字情報等）の持つ立体感をより一層引き立てるようになっている。なお、膨出部６の上側の傾斜部６ａは、型抜きに対抗する突出部分となる。このため、容器１の外周面の全周に亘って膨出部６を形成しようとしても、キャビティ型３１から容器１を抜き取ることができなくなる。したがって、膨出部６は、キャビティ型３１から容器１を抜き取ることができる範囲内、具体的には、容器１の外周面（３６０°の全角度範囲）に対してその５０％未満（１８０°未満）の角度範囲内で形成される。
【００２７】
また、完成されたシート付食品容器１は、外周面の部分的な盛り上がり（膨出部６）を立体的な装飾とすることで、装飾性を高めることができるとともに、シート付食品容器１の手触りに変化をつけることができる。さらには、シート付食品容器１の外観形状を目立ったものにすることができ、かつシート付食品容器１自体に高級感を持たせることができるので、そのシート付食品容器１に飲料その他の食品を収容して商品として販売する場合、他社の商品と大きく差別化することができ、結果として購入者に対して間違わずに商品を買わせることができる。また、シート付食品容器１を構成する容器本体２の周壁部４には、酸素バリア性の酸素バリアシート層１２を備えたフィルムシート１０が貼付されることにより、シート付食品容器１の周壁部分に酸素バリア性の機能を持たせることができる。このため、シート付食品容器１内に収容される飲料その他の食品に対して、外気中の酸素により酸化され劣化することを防ぐことができるので、飲料その他の食品の保存期間や賞味期間を長くすることができる。
【００２８】
なお、上記した実施形態では、容器本体及びフィルムシートの基材となる樹脂層の材質を、それぞれポリプロピレンとしているがこれに限定するものではない。例えば低密度ポリエチレン、線状低密度ポリエチレン、中密度ポリエチレン、エチレン−環状オレフィン共重合体等のポリオレフィン系；ポリエチレンテレフタレート、ポリ乳酸等のポリエステル系；ポリ塩化ビニル等のハロゲン化ビニル系；６，６ナイロン等のポリアミド系；ポリスチレン、ＡＢＳ等のポリスチレン系等の熱可塑性樹脂の１種、及びこれらの混合物等であってもよい。また、フィルムシートの印刷面における表示は、特に限定するものではない。例えば、絵柄や模様等の意匠、バーコード等の商品管理用の機械読取情報、あるいはシート付食品容器に収容される飲料その他の食品の商品名やその商品の販売会社名等の文字を印刷面に印刷するようにしてもよい。
【００２９】
また、上記実施形態では、感熱性の粘着層によりフィルムシートを成形品の外周面に粘着固定する構成としているが、この構成に限定するものではない。例えば、図６に示すように、フィルムシート１０’の外面側から内面側に向けて順に、印刷面１４を備えた印刷シート層１１と、酸素バリアシート層１２と、容器本体２と同種の溶融樹脂層１５(実施形態ではポリプロピレンからなる層)とを順次積層した層構成に形成し、インモールド成形時にフィルムシート１０’の溶融樹脂層１５を容器本体２に直接溶融接着するようにしてもよい。また、実施形態では、容器本体の周壁部の略全高さ、全周に亘ってフィルムシートを貼付する構成としたが、これに限らず、部分的にフィルムシートを貼付するようにしてもよい。ただし、フィルムシートが有する酸素バリア性の機能を考慮すると、実施形態に記載のように容器本体の周壁部の略全高さ、全周に亘ってフィルムシートを貼付することが望ましい。
【００３０】
以上、本発明の実施形態を説明したが、これらはあくまで例示に過ぎず、本発明はこれらに限定されるものではなく、特許請求の範囲の趣旨を逸脱しない限りにおいて種々の変更が可能である。
【符号の説明】
【００３１】
１  シート付食品容器
２  容器本体
３  上端開口部
３ａ  フランジ
４  周壁部
５  底部
６  膨出部
６ａ  傾斜部
１０  フィルムシート（シート）
１０ａ  円弧部（大径側の円弧部）
１０ｂ  円弧部（小径側の円弧部）
１０ｃ  側縁部
１１  印刷シート層
１２  酸素バリアシート層
３１  キャビティ型（型本体）
３２  コア型
３３  キャビティ
３３ａ  テーパ内面（キャビティ内面）
３３ｂ  凹部
３３ｃ  開口縁部
３３ｄ  逃げ面
３３ｅ  キャビティ底面
３４  ゲ−ト
３５  負圧吸引部
３５ａ  可動部
３６  コア
３６ａ  テーパ外周面（コア外周面）
４０  シート装着治具
４１  テーパ外周面
４２  負圧吸引孔
【図１】
2014104661.tif 000003
【図２】
2014104661.tif 000004
【図３Ａ】
2014104661.tif 000005
【図３Ｂ】
2014104661.tif 000006
【図４Ａ】
2014104661.tif 000007
【図４Ｂ】
2014104661.tif 000008
【図４Ｃ】
2014104661.tif 000009
【図４Ｄ】
2014104661.tif 000010
【図４Ｅ】
2014104661.tif 000011
【図４Ｆ】
2014104661.tif 000012
【図４Ｇ】
2014104661.tif 000013
【図４Ｈ】
2014104661.tif 000014
【図５】
2014104661.tif 000015
【図６】
2014104661.tif 000016